(57)【要約】【課題】空調ユニットのメンテナンス性を従来よりも向上させることが可能な空調ユニット、および空気調和装置の室外ユニットを提供する。【解決手段】空気調和装置１の室外機２では、第１熱交換部２１と第２熱交換部２２と第３熱交換部２３とを備えている。第２熱交換部２２および第３熱交換部２３は、第１熱交換部２１よりも高さ方向の長さが短くかつ第１熱交換部２１よりも正面側に配置されている。各熱交換部（第１熱交換部２１、第２熱交換部２２、第３熱交換部２３）は、側面視において略Ｎ字状にそれぞれ配置されている。【選択図】図４
2008075974.tif 000002
【特許請求の範囲】
【請求項１】
第１熱交換部（２１）と第２熱交換部（２２）と第３熱交換部（２３）とを備え、
前記第２熱交換部（２２）および前記第３熱交換部（２３）は、前記第１熱交換部（２１）よりも高さ方向の長さが短くかつ前記第１熱交換部（２１）よりも正面側に配置されており、
側面視において、前記第１熱交換部（２１）と前記第２熱交換部（２２）と前記第３熱交換部（２３）とは、略Ｎ字状となるようにそれぞれ配置されている、
空調ユニット（２）。
【請求項２】
前記第１熱交換部（２１）の上端および前記第２熱交換部（２２）の上端が隣接するように配置されており、
前記第２熱交換部（２２）の下端および前記第３熱交換部（２３）の下端が隣接するように配置されている、
請求項１に記載の空調ユニット（２）。
【請求項３】
空気吸い込み口（４１ａ）を設けた正面部（４１）を少なくとも有し、前記第１熱交換部（２１）、前記第２熱交換部（２２）、および前記第３熱交換部（２３）を格納するケーシング（４０）をさらに備えており、
前記空気吸い込み口（４１ａ）は、前記第２熱交換部（２２）および前記第３熱交換部（２３）の下方において前記第１熱交換部（２１）と前記正面部（４１）との間に形成される第１空間（ＳＰ１）に面するように配置されている、
請求項１または２に記載の空調ユニット（２）。
【請求項４】
前記正面部（４１）は、前記空気吸い込み口（４１ａ）の上方にメンテナンス開口部（４１ｂ，４１ｃ）をさらに設けている、
請求項３に記載の空調ユニット（２）。
【請求項５】
前記第１空間（ＳＰ１）に配置された冷媒機器（１２，１３，１４，２７）をさらに備えている、
請求項３または４に記載の空調ユニット（２）。
【請求項６】
空気調和装置（１）の室外ユニット（２）である、
請求項１から５のいずれか１項に記載の空調ユニット（２）。
【発明の詳細な説明】
【技術分野】
【０００１】
本発明は、空気を吸い込んで熱交換を行なう空調ユニット、および空気調和装置の室外ユニットに関する。
【背景技術】
【０００２】
一般に、空気調和装置の空調ユニット、例えば、室外ユニットの中には、側面視において略V字となるように熱交換部を配置して正面側または底側から空気を吸い込んで上側から排気しながら熱交換を行なうものがある。
【０００３】
このような室外ユニットの中には、例えば、特許文献１に示されるような電算機室の温度管理に用いられる冷房専用の空気調和装置の室外ユニットがある。
【特許文献１】特開平７−１９０４６０号公報（平成７年７月２８日公開）
【発明の開示】
【発明が解決しようとする課題】
【０００４】
従来から、このような空調ユニットでは、メンテナンス作業、例えば、熱交換部の洗浄を正面側から行ないたいという要望があった。
【０００５】
しかし、このような空調ユニットでは、側面視において、略Ｖ字状に熱交換部が正面側と背面側とに配置されているため、背面側の熱交換部のメンテナンス作業を正面側から行なうことが難しく、メンテナンス性が悪いという問題があった。
【０００６】
本発明の課題は、空調ユニットのメンテナンス性を従来よりも向上させることが可能な空調ユニット、および空気調和装置の室外ユニットを提供することにある。
【課題を解決するための手段】
【０００７】
第１の発明に係る空調ユニットは、第１熱交換部と第２熱交換部と第３熱交換部とを備えている。第２熱交換部および第３熱交換部は、第１熱交換部よりも高さ方向の長さが短くかつ第１熱交換部よりも正面側に配置されている。側面視において、第１熱交換部と第２熱交換部と第３熱交換部とは、略Ｎ字状となるようにそれぞれ配置されている。なお、空調ユニットには、空気調和装置の室外ユニットや室内ユニットが含まれる。
【０００８】
ここでは、第２熱交換部および第３熱交換部は、高さ方向の長さが第１熱交換部よりも短くかつ第１熱交換部よりも正面側に配置されている。また、側面視において、各熱交換部（第１熱交換部、第２熱交換部、第３熱交換部）は略Ｎ字状に配置されている。
【０００９】
これにより、正面側から第１熱交換部に連通する空間を確保することができる。そのため、正面側から第１熱交換部へ容易にアクセスして第１熱交換部の洗浄等のメンテナンス作業を行なうことができる。
【００１０】
この結果、空調ユニットのメンテナンス性を従来よりも向上させることができる。
【００１１】
第２の発明に係る空調ユニットは、第１の発明に係る空調ユニットであって、第１熱交換部の上端および第２熱交換部の上端が隣接するように配置されている。第２熱交換部の下端および第３熱交換部の下端が隣接するように配置されている。
【００１２】
ここでは、第１熱交換部の上端および第２熱交換部の上端を隣接させて、さらに、第２熱交換部の下端および第３熱交換部の下端も隣接させて、各熱交換部が配置されている。
【００１３】
そのため、第１熱交換部よりも正面側に、第２熱交換部および第３熱交換部を側面視において略Ｖ字状に配置することができる。
【００１４】
このため、第２熱交換部および第３熱交換部の下方において、正面側から第１熱交換部に連通する空間を確保することができる。
【００１５】
第３の発明に係る空調ユニットは、第１または第２の発明に係る空調ユニットであって、ケーシングをさらに備えている。ケーシングは、空気吸い込み口を設けた正面部を少なくとも有し、第１熱交換部、第２熱交換部、および第３熱交換部を格納する。空気吸い込み口は、第２熱交換部および第３熱交換部の下方において第１熱交換部と正面部との間に形成される第１空間に面するように配置されている。
【００１６】
ここでは、第１空間に面するように空気吸い込み口が配置されている。
【００１７】
これにより、空気吸い込み口から各熱交換部に効率良く空気を供給することができる。
【００１８】
第４の発明に係る空調ユニットは、第３の発明に係る空調ユニットであって、正面部は、空気吸い込み口の上方にメンテナンス開口部をさらに設けている。
【００１９】
これにより、例えば、メンテナンス開口部を介して内部の各熱交換部のメンテナンスを行なうことができる。
【００２０】
このため、空調ユニットのメンテナンス性をより向上させることができる。
【００２１】
第５の発明に係る空調ユニットは、第３または第４の発明に係る空調ユニットであって、第１空間に配置された冷媒機器をさらに備えている。
【００２２】
ここで、冷媒機器には、レシーバ（受液器）、閉鎖弁や電動弁（膨張弁）等の弁、スイッチボックスのうち、少なくともいずれか１つが含まれる。
【００２３】
これにより、空調ユニットの正面側からのアクセスが容易な第１空間にレシーバや閉鎖弁等の冷媒機器を配置することができる。
【００２４】
この結果、空調ユニットにおいて、冷媒機器のメンテナンス作業時の作業性をより一層向上させることができる。
【００２５】
第６の発明に係る空調ユニットは、第１から第５の発明のいずれか１つに係る空調ユニットであって、空気調和装置の室外ユニットである。
【００２６】
これにより、空気調和装置の室外ユニット（以下、室外ユニットと表記）において、上記発明に係る空調ユニットと同様の効果を得ることができる。
【００２７】
すなわち、側面視において略Ｖ字状に各熱交換部を配置した従来の室外ユニットと比べて、メンテナンス性を向上させることができる。
【発明の効果】
【００２８】
第１の発明に係る空調ユニットによれば、空調ユニットのメンテナンス性を従来よりも向上させることができる。
【００２９】
第２の発明に係る空調ユニットによれば、第２熱交換部および第３熱交換部の下方において、正面側から第１熱交換部に連通する空間を確保することができる。
【００３０】
第３の発明に係る空調ユニットによれば、空気吸い込み口から各熱交換部に効率良く空気を供給することができる。
【００３１】
第４の発明に係る空調ユニットによれば、空調ユニットのメンテナンス性をより向上させることができる。
【００３２】
第５の発明に係る空調ユニットによれば、冷媒機器のメンテナンス作業時の作業性をより一層向上させることができる。
【００３３】
第６の発明に係る空調ユニットによれば、側面視において略Ｖ字状に各熱交換部を配置した従来の室外ユニットと比べて、メンテナンス性を向上させることができる。
【発明を実施するための最良の形態】
【００３４】
本発明の一実施形態に係る室外機（空調ユニット、空気調和装置の室外ユニット）２を含む空気調和装置１について、図１〜図５を用いて説明すれば以下の通りである。
【００３５】
＜空気調和装置１全体の構成＞
空気調和装置１は、図１に示すように２系統の冷媒回路を有しており、電算機室の空調に用いられる冷房専用の空気調和装置である。
【００３６】
空気調和装置１は、図１に示すように、２系統のほぼ同一の冷媒回路から成り、屋外に配置された室外機２と電算機室に配置された室内機３とを備えている。
【００３７】
室外機２は、屋外において、各冷媒回路を循環するフルオロカーボンガス等の冷媒ガスと内部に吸い込んだ外気（空気）との間で熱交換を行なって冷媒ガスを冷却して液化する。（なお、室外機２については後段にて詳述する。）
【００３８】
室内機３は、各冷媒回路において、圧縮機１１と、膨張弁１５と、蒸発器１６と、冷媒ガス配管３０と、冷媒液配管３５と、ファン１７とを、それぞれ備えており、室外機２において熱交換を行った冷媒液の気化熱を利用して電算機室内の空気を所定の設定室温に保持する。
【００３９】
ここで、冷媒の循環経路について、空気調和装置１の２系統の冷媒回路のうち、一方の冷媒回路を例に挙げて説明すると以下の通りである。（なお、以下に表記する上流側と下流側とは、冷媒回路における冷媒流れの上流側と下流側という意味である。）
【００４０】
室内機３において、圧縮機１１は上流側の冷媒ガス配管３０から供給される低圧状態の冷媒ガスを圧縮して、高温高圧状態の冷媒ガスを作り出して下流側の室外機２へ冷媒ガス連絡配管３１を介して供給する。
【００４１】
ガス側閉鎖弁（冷媒機器）１２は、室外機２において最上流側の冷媒ガス配管３２に取り付けられており、開状態で保持されている。このため、上流側の冷媒ガス連絡配管３１から供給される高温高圧状態のガスを下流側の凝縮器２０へ冷媒ガス配管３２を介して供給することができる。（なお、ガス側閉鎖弁１２については後段にて詳述する。）
【００４２】
凝縮器２０は、ガス側閉鎖弁１２の下流側に配置されており、上流側の冷媒ガス配管３２から供給される高温高圧状態の冷媒ガスを空気との熱交換によって冷却する。そして、冷媒ガスは、液化されて高温高圧の冷媒液として、下流側へ冷媒液配管３３を介して供給される。
【００４３】
レシーバタンク（冷媒機器）１３は、上流側の凝縮器２０において液化した冷媒を一時的に蓄えて、上流側から供給される冷媒液の中に混入しているガス状態の冷媒を分離して下流側の冷媒液配管３３に冷媒液のみを供給する。これにより、下流側の冷媒液配管３３に供給される冷媒液に冷媒ガスが混入することを防止することができる。
【００４４】
液側閉鎖弁（冷媒機器）１４は、室外機２において最下流側の冷媒液配管３３に取り付けられており、開状態で保持されている。このため、上流側のレシーバタンク１３から供給される冷媒液を下流側の室内機３へ冷媒液連絡配管３４を介して供給することができる。
【００４５】
なお、ガス側閉鎖弁１２および液側閉鎖弁１４は、室外機２の工場出荷時においては、内部に含まれる冷媒が漏出しないように閉状態で保持されている。
【００４６】
そして、ガス側閉鎖弁１２および液側閉鎖弁１４は、所定の手順に従って、室外機２および室内機３を現地に設置して冷媒ガス連絡配管３１および冷媒液連絡配管３４をそれぞれ接続してから開状態とされる。
【００４７】
膨張弁１５は、室内機３において最上流側の冷媒液配管３５に設置されており、上流側の冷媒液連絡配管３４から供給される高圧状態の冷媒液を低圧状態に変化させて、下流側に配置された蒸発器１６へ供給する。
【００４８】
蒸発器１６は、上流側から供給される低圧状態の冷媒液の気化熱を利用して室内の空気の温度を下げる。そして、蒸発器１６において、冷媒液は周囲の空気から気化熱を奪ってガス化して冷媒ガスとして冷媒ガス配管３０を介して下流側の圧縮機１１へ供給される。そして、圧縮機１１において、冷媒ガスは上記と同様に圧縮されて高温高圧状態となって、上記冷媒回路内を循環する。
【００４９】
＜室外機２の構成＞
室外機２は、図２〜図５に示すように、ケーシング４０と、２つのファン２８と、冷媒機器として、２つのガス側閉鎖弁１２と、２つのレシーバタンク１３と、２つの液側閉鎖弁１４と、凝縮器２０と、冷媒ガス配管３２と、冷媒液配管３３と、スイッチボックス（冷媒機器）２７と、を備えている箱形の室外機である。
【００５０】
ケーシング４０は、２つのファン２８と、２つのガス側閉鎖弁１２と、２つのレシーバタンク１３と、２つの液側閉鎖弁１４と、凝縮器２０と、冷媒ガス配管３２と、冷媒液配管３３と、スイッチボックス２７と、を格納する箱状の筐体である。そして、ケーシング４０は、正面部４１と背面部４２と側面部４３と天井部４４とを有しており、室外機２の全体を覆う箱状の筐体である。
【００５１】
正面部４１は、図２に示すように、室外機２の正面側に配置された長方形状の金属版である。そして、正面部４１は、空気吸い込み口４１ａとメンテナンス開口部４１ｂ，４１ｃとを有している。
【００５２】
空気吸い込み口４１ａは、図２に示すように、正面部４１において、中央部付近から下端にかけて長方形状に形成された開口部である。また、安全性を確保するために空気吸い込み口４１ａには金網等によって網状に形成されたカバー４１ｄが着脱可能に取り付けられている。
【００５３】
ここで、図４および図５に示すように、第１空間ＳＰ１は、第２熱交換部２２および第３熱交換部２３の下方において、第１熱交換部２１と正面部４１との間において形成されている空間である。
【００５４】
そして、空気吸い込み口４１ａは、第１空間ＳＰ１に面するように配置されている。
【００５５】
これにより、空気吸い込み口４１ａから、第２熱交換部２２および第３熱交換部２３に対して空気を供給しつつ、背面側に配置されている第１熱交換部２１に対しても効率良く空気を供給することができる。
【００５６】
メンテナンス開口部４１ｂは、図２に示すように、空気吸い込み口４１ａの直上方に長方形状に形成されており、メンテナンス開口部４１ｂを覆うように長方形状の金属カバー４１ｅが取り付けられている。なお、金属カバー４１ｅの正面視における左右の両下端部は、蝶番（図示せず）を介して正面部４１に回転可能に支持されている。そして、上記左右の両下端部を支点として金属カバー４１ｅの上端部を正面視の手前側、すなわち背面部４２から正面部４１へ向かう方向に引き出すことができる。そのため、図４に示す破線の位置まで金属カバー４１ｅを回転させて、メンテナンス開口部４１ｂを開けることができる。
【００５７】
メンテナンス開口部４１ｃは、図２に示すように、メンテナンス開口部４１ｂの直上方に長方形状に形成されている。そして、メンテナンス開口部４１ｃには、メンテナンス開口部４１ｃを覆うように長方形状の金属板である金属カバー４１ｆが着脱可能に取り付けられている。
【００５８】
背面部４２は、室外機２の背面側に配置されており、長方形状に形成された金属板である。
【００５９】
側面部４３は、図２に示すように、正面視において、左右両側に位置する左側面部４３ｂと右側面部４３ａとを有している。そして、左側面部４３ｂおよび右側面部４３ａは、それぞれ長方形状に形成された金属板である。
【００６０】
天井部４４は、室外機２の最上部に配置されており、網状に形成された開口部（図示せず）を設けている。また、ファン２８（後段にて詳述）によって下方の第１空間ＳＰ１（後段にて詳述）から吸い上げられる空気は上記開口部から外部に排気される。
【００６１】
ファン２８は、図３に示すように、天井部４４の直下において、正面視の左右両側に１つずつ配置されており、室外機２内の空気を上方の天井部４４から外部へ排気するためのプロペラファンである。そして、ファン２８が、下方の空間から空気を吸い上げることによって、室外機２内に負圧状態が発生する。その結果、空気吸い込み口４１ａから室外機２内に外気を導入する空気流れが発生する。
【００６２】
凝縮器２０は、図５に示すように、第１熱交換部２１と第２熱交換部２２と第３熱交換部２３とを有しており、側面視において略Ｎ字状に配置されている。（以下において、上流側および下流側とは、空気の流れにおける上流側および下流側を意味する。）
【００６３】
第１熱交換部２１は、図４および図５に示すように、凝縮器２０における背面側に配置されている。そして、上流側の第１空間ＳＰ１に供給された空気が第１熱交換部２１を上方へ通り抜ける際に前記空気と第１熱交換部２１の内部を流れる冷媒との間で熱交換を行なわせる。
【００６４】
第２熱交換部２２は、図４および図５に示すように、凝縮器２０において第１熱交換部２１よりも正面側に配置されており、高さ方向の長さが第１熱交換部２１よりも短くなっている。そして、空気吸い込み口４１ａから第１空間ＳＰ１へ供給された空気が、第２熱交換部２２を上方へ通り抜ける際に通り抜ける空気と第２熱交換部２２の内部を流れる冷媒との間で熱交換を行なわせる。
【００６５】
第３熱交換部２３は、図４および図５に示すように、凝縮器２０において第２熱交換部２２よりも正面側に配置されており、高さ方向の長さが第１熱交換部２１よりも短くなっている。そして、空気吸い込み口４１ａから第１空間ＳＰ１へ供給された空気が、第３熱交換部２３を上方へ通り抜ける際に通り抜ける空気と第３熱交換部２３の内部を流れる冷媒との間で熱交換を行なわせる。
【００６６】
なお、第２熱交換部２２および第３熱交換部２３は、図４および図５に示すように、第１熱交換部２１よりも高さ方向の長さが短くかつ正面側に配置されている。そして、側面視において、略Ｎ字状にとなるように各熱交換部（第１熱交換部２１、第２熱交換部２２、第３熱交換部２３）がそれぞれ配置されている。
【００６７】
さらに、図４および図５に示すように、第１熱交換部２１の上端および第２熱交換部２２の上端が隣接するように配置されている。また、第２熱交換部２２の下端および第３熱交換部２３の下端も隣接するように配置されている。
【００６８】
このため、各熱交換部のうち、高さ方向の長さが最も長い第１熱交換部２１を背面側に配置して、正面側に第２熱交換部２２および第３熱交換部２３を側面視において略Ｖ字状となるように配置することができる。
【００６９】
これにより、第２熱交換部２２および第３熱交換部２３の下方において、正面側から第１熱交換部２１に連通する空間を確保することができる。
【００７０】
また、略Ｎ字状に各熱交換部を配置する場合において、各熱交換部の端部が隣接配置されていない場合よりも、各熱交換部の高さ方向の長さをより長くすることができる。そのため、第２熱交換部２２および第３熱交換部２３の下方において、正面側から第１熱交換部２１に連通する空間を確保しつつ、前記高さ方向の長さをより長くして各熱交換部の伝熱面積をより大きくすることができるといった効果もある。
【００７１】
＜各熱交換部における洗浄作業＞
ここで、各熱交換部の洗浄作業について説明すると以下の通りである。
【００７２】
第１に、作業者は、カバー４１ｄを空気吸い込み口４１ａから取り外す。そして、作業者は、冷媒機器等に対して防水処置、いわゆる養生を適宜行なう。
【００７３】
第２に、作業者は、作業経路Ｂに沿ってホースを室外機２の内部に差し込み、第１熱交換部２１および第２熱交換部２２に対して下方からホースを介して放水を行なって付着している埃等の汚れを洗い落とす。なお、洗浄作業を行なう際、作業者は必要に応じて薬剤も併用して洗浄を行なう。
【００７４】
第３に、作業者は、金属カバー４１ｆをメンテナンス開口部４１ｃから取り外して作業経路Ａに沿ってホースを差し込んで、第３熱交換部２３および第２熱交換部２２に対して上方からホースを介して放水する等して洗浄作業を行なう。
【００７５】
第４に、作業者は、金属カバー４１ｅを開けて、第３熱交換部２３に対して正面側からメンテナンス開口部４１ｂを介して上記と同様にホースを介して放水して洗浄作業を行なう。
【００７６】
このように、室外機２の正面側から洗浄作業を行なう際に、作業者は、空気吸い込み口４１ａおよびメンテナンス開口部４１ｂ，４１ｃを介して各熱交換部の洗浄作業をスムーズに行なうことができる。
【００７７】
また、空気吸い込み口４１ａおよびメンテナンス開口部４１ｂ，４１ｃを介して室外機２の主な冷媒機器（後段にて詳述）や各熱交換部の点検作業や交換作業もスムーズに行なうことができるという効果もある。
【００７８】
＜室外機２における冷媒機器の配置＞
図３および図４に示すように、室外機２が備えている主な冷媒機器（ガス側閉鎖弁１２、レシーバタンク１３、液側閉鎖弁１４、スイッチボックス２７）は、第１空間ＳＰ１にそれぞれ配置されており、その配置についてより具体的に説明すると以下の通りである。
【００７９】
ガス側閉鎖弁１２および液側閉鎖弁１４は、図３に示すように、第１空間ＳＰ１の正面視の右側において、冷媒ガス配管３２および冷媒液配管３３にそれぞれ取り付けられており、コイル（図示せず）等の部品をそれぞれ組み合わせて構成されている。また、ガス側閉鎖弁１２および液側閉鎖弁１４は、交互に２つずつ空気吸い込み口４１ａに面するように配置されている。
【００８０】
レシーバタンク１３は、円筒状の受液器であり、第１空間ＳＰ１の正面視における中央部付近において、空気吸い込み口４１ａに面するように２つ配置されている。
【００８１】
スイッチボックス２７は、第１空間ＳＰ１の正面視の左側に配置されており、上記冷媒機器やファン２８を駆動する制御基板等を有している。
【００８２】
このようにして、主な冷媒機器を、室外機２の正面側からのアクセスが容易な第１空間ＳＰ１に配置することができる。
【００８３】
このため、レシーバタンク１３の点検作業やガス側閉鎖弁１２や液側閉鎖弁１４に含まれるコイル等の交換作業を容易に行なうことができる。
【００８４】
また、第１空間ＳＰ１に冷媒機器を配置することによって、空気吸い込み口４１ａから吸い込まれた空気はレシーバタンク１３やスイッチボックス２７等の冷媒機器の周囲の空間を回り込み下流側へ供給される。このように、冷媒機器を第１空間ＳＰ１に配置することで、冷媒機器の周囲に空気が下流側へとスムーズに通り抜けることが可能なスペースを確保することができる。このため、冷媒機器を設けることによって発生する吸い込み抵抗の増加を抑制しつつ、空気を下流側の各熱交換部へ供給することができる。
【００８５】
＜室外機２の特徴＞
（１）
本実施形態の空気調和装置１の室外機２では、図４に示すように、第１熱交換部２１と第２熱交換部２２と第３熱交換部２３とを備えている。第２熱交換部２２および第３熱交換部２３は、第１熱交換部２１よりも高さ方向の長さが短くかつ第１熱交換部２１よりも正面側に配置されている。各熱交換部（第１熱交換部２１、第２熱交換部２２、第３熱交換部２３）は、側面視において略Ｎ字状にそれぞれ配置されている。
【００８６】
通常、電算機室等の空調に用いられる空気調和装置の室外機の中には、熱交換器を室外ユニットの正面側と背面側とに側面視において略Ｖ字状となるように配置したものがある。また、このような室外ユニットでは、メンテナンス作業を行なう際に、例えば、正面側のケーシングを開いてホース等を差し込み内部の熱交換部を水や薬剤を用いて洗浄する。
【００８７】
しかし、側面視において、略Ｖ字状に熱交換部が正面側と背面側とにそれぞれ配置されているため、背面側の熱交換部に対して正面側から洗浄等のメンテナンス作業を行なうことが難しく、メンテナンス性が悪いという問題があった。
【００８８】
そこで、室外機２では、第２熱交換部２２および第３熱交換部２３は、図４および図５に示すように、第１熱交換部２１よりも高さ方向の長さが短くかつ正面側に配置されている。そして、側面視において、略Ｎ字状となるように各熱交換部（第１熱交換部２１、第２熱交換部２２、第３熱交換部２３）がそれぞれ配置されている。
【００８９】
これにより、正面側から第１熱交換部２１に連通する空間を確保することができる。そのため、側面視において略Ｖ字状に各熱交換部が配置された室外機と比較して、正面側から第１熱交換部２１へ容易にアクセスして第１熱交換部２１の洗浄等のメンテナンス作業を行なうことができる。
【００９０】
この結果、空調ユニットのメンテナンス性を従来よりも向上させることができる。
【００９１】
（２）
本実施形態の空気調和装置１の室外機２では、図４に示すように、第１熱交換部２１の上端および第２熱交換部２２の上端が隣接するように配置されている。そして、第２熱交換部２２の下端および第３熱交換部２３の下端も隣接するように配置されている。
【００９２】
これにより、第１熱交換部２１の上端および第２熱交換部２２の上端を隣接させて、さらに、第２熱交換部２２の下端および第３熱交換部２３の下端も隣接させて、各熱交換部を配置することができる。
【００９３】
このため、各熱交換部のうち、高さ方向の長さが最も長い第１熱交換部２１を背面側に配置して、正面側に第２熱交換部２２および第３熱交換部２３を側面視において略Ｖ字状となるように配置することができる。
【００９４】
この結果、第２熱交換部２２および第３熱交換部２３の下方において、正面側から第１熱交換部２１に連通する空間を確保することができる。
【００９５】
（３）
本実施形態の空気調和装置１の室外機２では、図４に示すように、ケーシング４０をさらに備えている。ケーシング４０は、空気吸い込み口４１ａを設けた正面部４１を有しており、第１熱交換部２１、第２熱交換部２２、および第３熱交換部２３を格納する。空気吸い込み口４１ａは、第２熱交換部２２および第３熱交換部２３の下方において、第１熱交換部２１と正面部４１との間に形成される第１空間ＳＰ１に面するように配置されている。
【００９６】
これにより、空気吸い込み口４１ａから、第２熱交換部２２および第３熱交換部２３に対して空気を供給しつつ、第１熱交換部２１に対しても効率良く空気を供給することができる。
【００９７】
このため、各熱交換部における熱交換の効率を一層向上させることができる。
【００９８】
（４）
本実施形態の空気調和装置１の室外機２では、図４に示すように、正面部４１は空気吸い込み口４１ａの上方にメンテナンス開口部４１ｂ，４１ｃをさらに設けている。
【００９９】
これにより、室外機２の正面側から洗浄作業を行なう際に、作業者は、メンテナンス開口部４１ｂ，４１ｃを介して各熱交換部の洗浄作業をスムーズに行なうことができる。
【０１００】
このため、空調ユニットのメンテナンス性をより向上させることができる。
【０１０１】
（５）
本実施形態の空気調和装置１の室外機２では、図３に示すように、第１空間ＳＰ１に配置された冷媒機器（ガス側閉鎖弁１２、レシーバタンク１３、液側閉鎖弁１４、スイッチボックス２７）をさらに備えている。
【０１０２】
これにより、冷媒機器を、空調ユニットの正面側からのアクセスが容易な第１空間ＳＰ１に配置することができる。
【０１０３】
このため、例えば、レシーバタンク１３の点検作業やガス側閉鎖弁１２や液側閉鎖弁１４に含まれるコイル等の交換作業を容易に行なうことができる。
【０１０４】
この結果、空調ユニットにおいて、冷媒機器のメンテナンス作業時の作業性をより一層向上させることができる。
【０１０５】
（６）
本実施形態の空調ユニットは、図４に示すように、空気調和装置１の室外機２である。
【０１０６】
これにより、室外機２において、第１空間を介して室外機２の正面側から第１熱交換部２１へ容易にアクセスして洗浄作業等のメンテナンス作業を行なうことができる。
【０１０７】
この結果、室外機２は、側面視において略Ｖ字状に各熱交換部を配置した従来の室外機と比べて、熱交換の効率を維持しつつメンテナンス性を従来よりも格段に向上させることができる。
【０１０８】
＜他の実施形態＞
以上、本発明の一実施形態について説明したが、本発明は上記実施形態に限定されるものではなく、発明の要旨を逸脱しない範囲で種々の変更が可能である。
【０１０９】
（Ａ）
上記実施形態では、図４に示すように、室外機２は、第１熱交換部２１、第２熱交換部２２、および第３熱交換部２３を備えており、第２熱交換部２２および第３熱交換部２３は第１熱交換部２１よりも高さ方向の長さが短くなっている例を挙げて説明した。しかし、本発明はこれに限定されるものではない。
【０１１０】
例えば、室外機２における冷却性能に問題が発生しない場合には、室外機２は第３熱交換部２３を備えなくてもよい。
【０１１１】
この場合にも、上記実施形態にかかる室外機２と同様の効果を得ることができる。
【０１１２】
（Ｂ）
上記実施形態では、図４に示すように、第１熱交換部２１の上端および第２熱交換部２２の上端が隣接するように配置されており、第２熱交換部２２の下端および第３熱交換部２３の下端も隣接するように配置されている例を挙げて説明した。しかし、本発明はこれに限定されるものではない。
【０１１３】
例えば、室外機２において各冷媒機器の配置の都合により、第１熱交換部２１の上端および第２熱交換部２２の上端を隣接配置することが困難な場合には、上記各上端を離れた位置に配置しても良い。また、第２熱交換部２２の下端および第３熱交換部２３の下端についても隣接配置することが難しい場合には離れた位置に配置しても良い。
【０１１４】
この場合にも、上記実施形態にかかる室外機２と同様の効果を得ることができる。
【０１１５】
但し、この場合には、各熱交換部の伝熱面積が減少するので、上記実施形態のように、第１熱交換部２１の上端および第２熱交換部２２の上端を隣接配置して、さらに、第２熱交換部２２の下端および第３熱交換部２３の下端も隣接配置する方がより好ましい。
【０１１６】
（Ｃ）
上記実施形態では、図４に示すように、第１空間ＳＰ１に面するように正面部４１の中央部から下端にかけて空気吸い込み口４１ａが設けられている例を挙げて説明した。しかし、本発明はこれに限定されるものではない。
【０１１７】
例えば、正面部４１の中央部から上端にかけて空気吸い込み口をさらに設けても良い。      
【０１１８】
この場合には、空気吸い込み口の開口面積をさらに大きくすることができるので、吸い込み抵抗をさらに低減することができる。
【０１１９】
（Ｄ）
上記実施形態では、図２に示すように、メンテナンス開口部４１ｂ，４１ｃが空気吸い込み口４１ａの上方に設けられている例を挙げて説明した。しかし、本発明はこれに限定されるものではない。
【０１２０】
例えば、メンテナンス開口部４１ｂ，４１ｃを設けることによって、正面部４１の強度に問題が発生するおそれがある場合には、メンテナンス開口部４１ｂ，４１ｃを設けなくても良い。
【０１２１】
この場合にも、上記実施形態にかかる室外機２と同様の効果を得ることができる。
【０１２２】
但し、この場合には、室外機２の正面側からのメンテナンス作業を行ない難くなるので、上記実施形態のようにメンテナンス開口部４１ｂ，４１ｃを設けるようがより好ましい。
【０１２３】
さらに、例えば、室外機２の仕様に応じて、メンテナンス開口部を空気吸い込み口４１ａの上方に１つだけ設けても良い。また、空気吸い込み口４１ａの上方に３つ以上メンテナンス開口部を設けても良い。
【０１２４】
この場合にも、上記実施形態にかかる室外機２と同様の効果を得ることができる。
【０１２５】
（Ｅ）
上記実施形態では、図３に示すように、第１空間ＳＰ１において、冷媒機器として、ガス側閉鎖弁１２、レシーバタンク１３、液側閉鎖弁１４、およびスイッチボックス２７を配置している例を挙げて説明した。しかし、本発明はこれに限定されるものではない。
【０１２６】
例えば、圧縮機や電動弁（膨張弁）を備えている室外機である場合には、圧縮機や電動弁（膨張弁）を第１空間ＳＰ１に配置しても良い。
【０１２７】
また、例えば、室外機の仕様に応じて、第１空間ＳＰ１に配置する冷媒機器のレイアウトや組み合わせを変更しても良い。
【０１２８】
これらの場合にも、上記実施形態にかかる室外機２と同様の効果を得ることができる。
【０１２９】
（Ｆ）
上記実施形態では、空調ユニットが空気調和装置１の室外機２である例を挙げて説明した。しかし、本発明はこれに限定されるものではない。
【０１３０】
例えば、空調ユニットは、空気調和装置の室内機であっても良い。
【０１３１】
この場合には、上記実施形態にかかる室外機２と同様に室内機のメンテナンス性を従来よりも向上させるといった効果を得ることができる。
【０１３２】
（Ｇ）
上記実施形態では、空気調和装置１は２系統の冷媒回路を組み合わせて構成されている例を挙げて説明した。しかし、本発明はこれに限定されるものではない。
【０１３３】
例えば、空気調和装置１の冷媒回路は１系統だけであっても良い。また、空気調和装置１は、３系統以上の冷媒回路を組み合わせて構成されていても良い。
【０１３４】
この場合にも、上記実施形態にかかる室外機２と同様の効果を得ることができる。
【０１３５】
（Ｈ）
上記実施形態では、空気調和装置１は冷房専用の空気調和装置である例を挙げて説明した。しかし、本発明はこれに限定されるものではない。
【０１３６】
例えば、空気調和装置１は冷暖兼用の空気調和装置であっても良い。
【０１３７】
この場合にも、冷暖兼用の空気調和装置の室外機において、上記実施形態にかかる室外機２と同様の効果を得ることができる。
【０１３８】
（Ｉ）
上記実施形態では、図２に示すように、空気吸い込み口４１ａには網状に形成されたカバー４１ｄが取り付けられている例を挙げて説明した。しかし、本発明はこれに限定されるものではない。
【０１３９】
例えば、カバー４１ｄはスリット状に形成されていても良い。
【０１４０】
この場合にも、上記実施形態にかかる室外機２と同様の効果を得ることができる。
【０１４１】
（Ｊ）
上記実施形態では、図５に示すように、側面視において、各熱交換部が略Ｎ字状に配置されている例を挙げて説明した。しかし、本発明はこれに限定されるものではない。
【０１４２】
例えば、空調ユニットの仕様に応じて、空調ユニットの正面側から背面側に配置された熱交換部への容易なアクセスを確保できる場合には、側面視において、各熱交換部を略Ｈ状や略Ｕ字状に配置しても良い。
【０１４３】
この場合にも、上記実施形態にかかる室外機２と同様の効果を得ることができる。
【０１４４】
但し、これらの場合には、冷媒機器の設置箇所の確保が難しくなるといった問題があるため、上記実施形態のように側面視において略Ｎ字状に各熱交換部を配置するほうがより好ましい。
【０１４５】
（Ｋ）
上記実施形態では、図４に示すように、第１熱交換部２１の上端および第２熱交換部２２の上端が隣接するように配置されており、さらに、第２熱交換部２２の下端および第３熱交換部２３の下端も隣接するように配置されている例を挙げて説明した。しかし、本発明はこれに限定されるものではない。
【０１４６】
例えば、第１熱交換部２１の下端および第２熱交換部２２の下端が隣接するように配置して、さらに、第２熱交換部２２の上端および第３熱交換部２３の上端を隣接するように配置しても良い。
【０１４７】
この場合には、第２熱交換部２２および第３熱交換部２３の上方において、正面側から第１熱交換部２１へと連通する空間を確保することが可能である。
【０１４８】
但し、この場合には、冷媒機器を設置し難くなるので、上記実施形態のように各熱交換部（第１熱交換部２１、第２熱交換部２２、第３熱交換部２３）を配置する方がより好ましい。
【０１４９】
（Ｌ）
上記実施形態では、空気調和装置１は電算機室の空調に用いられる空気調和装置である例を挙げて説明した。しかし、本発明はこれに限定されるものではない。
【０１５０】
例えば、空気調和装置１は、所定の設定気温に保つことが必要な室内空間や屋内空間の空調に用いる空気調和装置であっても良い。
【０１５１】
この場合にも、空気調和装置の室外機において、上記実施形態にかかる室外機２と同様の効果を得ることができる。
【産業上の利用可能性】
【０１５２】
本発明の空調ユニットは、メンテナンス性を従来よりも向上させるという効果を奏することから、空調ユニットや空気調和装置の室外ユニットに対して広く適用可能である。
【図面の簡単な説明】
【０１５３】
【図１】本発明の一実施形態に係る室外機を含む空気調和装置の冷媒回路を示す図。
【図２】図１に含まれる室外機の正面視における外観を示す図。
【図３】図２に示す室外機の正面視における内部構成を示す図。
【図４】図３に示す室外機の側面視における内部構成を示す図。
【図５】図３に示す室外機の側面視における作業経路を模式的に示す図。
【符号の説明】
【０１５４】
１      空気調和装置
２      室外機（空調ユニット、空気調和装置の室外ユニット）
３      室内機
１１      圧縮機
１２      ガス側閉鎖弁（冷媒機器）
１３      レシーバタンク（冷媒機器）
１４      液側閉鎖弁（冷媒機器）
１５      膨張弁
１６      蒸発器
１７      ファン
２０      凝縮器
２１      第１熱交換部
２２      第２熱交換部
２３      第３熱交換部
２７      スイッチボックス（冷媒機器）
２８      ファン
３０      冷媒ガス配管
３１      冷媒ガス連絡配管
３２      冷媒ガス配管
３３      冷媒液配管
３４      冷媒液連絡配管
３５      冷媒液配管
４０    ケーシング
４１    正面部
４１ａ  空気吸い込み口
４１ｂ  メンテナンス開口部
４１ｃ  メンテナンス開口部
４１ｄ  カバー
４１ｅ  金属カバー
４１ｆ  金属カバー
４２    背面部
４３    側面部
４３ａ  右側面部
４３ｂ  左側面部
４４    天井部
ＳＰ１  第１空間
【図１】
2008075974.tif 000003
【図２】
2008075974.tif 000004
【図３】
2008075974.tif 000005
【図４】
2008075974.tif 000006
【図５】
2008075974.tif 000007